(57)【要約】【課題】節電性能を向上させながら、ノズル洗浄の洗浄性能の低下を抑制することができる衛生洗浄装置を提供する。【解決手段】洗浄ノズルと、洗浄水により洗浄ノズルを洗浄するノズル洗浄手段と、ノズル洗浄手段による洗浄ノズルの洗浄工程で使用する洗浄水量を制御するノズル洗浄制御手段と、洗浄ノズルから吐水される洗浄水およびノズル洗浄手段から吐水される洗浄水を加熱する加熱手段と、入水温度を測定する温度測定手段と、を備えた衛生洗浄装置において、ノズル洗浄制御手段は、温度測定手段による測定温度が高いときよりも低いときの方が、洗浄ノズルの洗浄工程で使用する洗浄水量を少なくなるように制御することで、節電性能を向上させながら、ノズル洗浄の洗浄性能の低下を抑制することができるものである。【選択図】図７
2015161161.tif 000002
【特許請求の範囲】
【請求項１】
人体洗浄吐水孔を有し、前記人体洗浄吐水孔から水を噴射して使用者の人体を洗浄する洗浄ノズルと、
前記洗浄ノズルを収納位置から前記人体を洗浄する進出位置へと前進移動している時または前記進出位置から前記収納位置へ後退移動している時に洗浄水により前記洗浄ノズルを洗浄するノズル洗浄手段と、
前記ノズル洗浄手段による前記洗浄ノズルの洗浄工程で使用する洗浄水量を制御するノズル洗浄制御手段と、
前記洗浄ノズルから吐水される洗浄水、および、前記ノズル洗浄手段から吐水される洗浄水を加熱する加熱手段と、
給水源から前記加熱手段に供給される入水温度を測定する温度測定手段と、
を備えた衛生洗浄装置において、
前記ノズル洗浄制御手段は、前記温度測定手段による測定温度が高いときよりも低いときの方が、前記洗浄ノズルの洗浄工程で使用する洗浄水量を少なくなるように制御することを特徴とする衛生洗浄装置。
【請求項２】
前記洗浄ノズルは、先端部から所定位置までの第１領域と、前記第１領域を除く領域である第２領域を有し、
前記ノズル洗浄制御手段は、前記洗浄ノズルの移動速度を制御し、前記測定温度が所定温度よりも高い高温モードでは、前記第１領域および前記第２領域において前記洗浄ノズルを前記第１移動速度で移動させ、前記測定温度が前記所定温度よりも低い低温モードでは、前記第１領域において前記洗浄ノズルを第１移動速度で移動させ、前記第２領域において前記洗浄ノズルを前記第１移動速度よりも速い第２移動速度で移動させることを特徴とする請求項１に記載の衛生洗浄装置。
【請求項３】
前記洗浄ノズルは、先端部から所定位置までの第１領域と、前記第１領域を除いた領域である第２領域を有し、
前記ノズル洗浄制御手段は、前記測定温度が前記所定温度よりも高い高温モードでは、前記第１領域および前記第２領域において前記ノズル洗浄手段から吐水される洗浄水の流量を第１流量とし、前記測定温度が所定温度よりも低い低温モードでは、前記第１領域において前記ノズル洗浄手段から吐水される洗浄水の流量を前記第１流量とし、前記第２領域において前記ノズル洗浄手段から吐水される洗浄水の流量を前記第１流量よりも少ない第２流量とすることを特徴とする請求項１に記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などの身体を水で洗浄する衛生洗浄装置に関する。
【背景技術】
【０００２】
使用者の「おしり」などの人体局部に水を噴射して洗浄する衛生洗浄装置では、例えば、水垢や汚物等が洗浄ノズルに付着することがある。そこで、洗浄ノズルを衛生的に保つために、例えば、使用時の洗浄ノズルの進退に伴って洗浄ノズルの外観面を洗浄するノズル洗浄手段を備えた衛生洗浄装置が知られている（例えば、特許文献１）。
【０００３】
例えば、特許文献１に記載された衛生洗浄装置では、ノズル洗浄手段の他に、洗浄ノズルから吐水される洗浄水、および、前記ノズル洗浄手段から吐水される洗浄水を加熱する加熱手段と、複数の局部洗浄モードにそれぞれ対応した操作スイッチや局部洗浄を停止させるスイッチ等の操作手段と、洗浄ノズルの洗浄を制御するノズル洗浄制御手段と、を備えている。ノズル洗浄制御手段は、操作手段からの信号に基づいて洗浄ノズルの洗浄時間を制御する。
【０００４】
具体的には、特許文献１に記載された衛生洗浄装置では、洗浄ノズル制御手段は、停止スイッチまたは乾燥スイッチの信号が操作された場合、比較的速い第１移動速度で洗浄ノズルを所定位置まで速やかに移動させた後、比較的遅い第２移動速度に切り替えて洗浄ノズルをゆっくりと移動させる。ここで、所定位置は、ノズル洗浄手段によるノズル洗浄が有効に機能し始める位置、または、洗浄ノズルの汚れやすい位置と汚れにくい位置との境界付近として定義可能としている。また、洗浄ノズル制御手段は、他の洗浄モードのスイッチが操作された場合、第１移動速度で洗浄ノズルを後退させる。
【０００５】
特許文献１に記載された衛生洗浄装置では、停止スイッチまたは乾燥スイッチが操作された場合、比較的汚れにくい基端側の所定範囲には高速洗浄工程を適用し、比較的汚れやすい先端側には低速洗浄工程を適用している。このように、比較的汚れやすい範囲ではより多くの洗浄水を使用して洗浄することで、洗浄性能を改善している。また、特許文献１に記載された衛生洗浄装置では、他の洗浄モードに切り替える場合は通常の性能で洗浄ノズルを洗浄し、洗浄モードを停止させる場合は改善された性能で洗浄ノズルを洗浄することにより、操作手段からの信号に応じて洗浄ノズルの洗浄時間を適切に制御することができる。
【０００６】
また、従来の衛生洗浄装置では、衛生洗浄装置が連続して使用されたとしても、洗浄ノズルから使用者の身体へ噴射された水が冷たいことで使用者に不快感を与えてしまうことを防止するために、ノズル洗浄手段により洗浄ノズルを洗浄する際の洗浄水として、熱交換ユニットなどにより所定の温度まで加熱された水を使用している。
【先行技術文献】
【特許文献】
【０００７】
【特許文献１】特開２００７−３３２５７９号公報
【発明の概要】
【発明が解決しようとする課題】
【０００８】
近年、使用者の省エネルギーに対する意識の向上に伴い、節電化された衛生洗浄装置が望まれている。
【０００９】
しかしながら、特許文献１に示すような衛生洗浄装置では、操作手段からの信号に応じて洗浄ノズルの洗浄時間を適切に制御しており、ノズル洗浄手段へと供給される洗浄水の温度に応じた制御は行っていないため、特に、ノズル洗浄手段へと供給される洗浄水の温度が設定温度よりも低い場合、加熱手段による通電量を多く消費していた。そのため、節電化に対して未だ改善の余地が残っていた。
【００１０】
本発明は、上記課題を解決するためになされたものであり、節電性能を向上させながら、ノズル洗浄の洗浄性能の低下を抑制することができる衛生洗浄装置を提供することを目的とする。
【課題を解決するための手段】
【００１１】
上記目的を実現するため、本発明のうち第１の態様に係る衛生洗浄装置においては、人体洗浄吐水孔を有し、前記人体洗浄吐水孔から水を噴射して使用者の人体を洗浄する洗浄ノズルと、前記洗浄ノズルを収納位置から前記人体を洗浄する進出位置へと前進移動している時または前記進出位置から前記収納位置へ後退移動している時に洗浄水により前記洗浄ノズルを洗浄するノズル洗浄手段と、前記ノズル洗浄手段による前記洗浄ノズルの洗浄工程で使用する洗浄水量を制御するノズル洗浄制御手段と、前記洗浄ノズルから吐水される洗浄水、および、前記ノズル洗浄手段から吐水される洗浄水を加熱する加熱手段と、給水源から前記加熱手段に供給される入水温度を測定する温度測定手段と、を備えた衛生洗浄装置において、前記ノズル洗浄制御手段は、前記温度測定手段による測定温度が高いときよりも低いときの方が、前記洗浄ノズルの洗浄工程で使用する洗浄水量を少なくなるように制御することを特徴とする。
【００１２】
このような構成の衛生洗浄装置によれば、加熱手段による通電量が比較的多く必要となる測定温度が低いときには、洗浄ノズルの洗浄工程で使用される洗浄水量が少なくなるように制御することで、ノズル洗浄手段による洗浄ノズルの洗浄工程（以下、ノズル洗浄工程という）時における加熱手段の消費電力を抑えることができる。
一方で、加熱手段による通電量が比較的少ない測定温度が高いときには、ノズル洗浄工程時における洗浄水量を、測定温度が低いときよりも多くしてしっかりとノズル洗浄を行うことができる。
よって、節電性能を向上させながら、ノズル洗浄の洗浄性能の低下を抑制することができる。
【００１３】
本発明のうち第２の態様に係る衛生洗浄装置は、前記洗浄ノズルは、先端部から所定位置までの第１領域と、前記第１領域を除く領域である第２領域を有し、前記ノズル洗浄制御手段は、前記洗浄ノズルの移動速度を制御し、前記測定温度が所定温度よりも高い高温モードでは、前記第１領域および前記第２領域において前記洗浄ノズルを前記第１移動速度で移動させ、前記測定温度が前記所定温度よりも低い低温モードでは、前記第１領域において前記洗浄ノズルを第１移動速度で移動させ、前記第２領域において前記洗浄ノズルを前記第１移動速度よりも速い第２移動速度で移動させることを特徴とする。
【００１４】
このような構成の衛生洗浄装置によれば、ノズル洗浄制御手段は、測定温度が所定温度よりも高い高温モードでは、第１領域および第２領域において洗浄ノズルを第１移動速度で移動させる。一方、測定温度が所定温度よりも低い低温モードにおいて、第１領域では、比較的遅い第１移動速度で洗浄ノズルをゆっくりと移動させ、第２領域では、比較的速い第２移動速度に切り替えて洗浄ノズルを速やかに移動させる。これにより、通電量を比較的多く消費する低温モードでは、高温モードに比べて、ノズル洗浄工程において使用する洗浄水量を減らすことができる。つまり、低温モードでは、高温モードに比べて、通電量を減らすことができる。
【００１５】
ここで、所定位置は、例えば、ノズル洗浄手段によるノズル洗浄が有効に機能し始める位置、または、洗浄ノズルの汚れやすい位置と汚れにくい位置との境界付近として定義可能である。即ち、第１領域は、洗浄ノズルのうち使用者の人体に近い領域、言い換えると、洗浄ノズルの汚れやすい領域であり、第２領域は、洗浄ノズルのうち使用者の人体から遠い領域、言い換えると、洗浄ノズルの汚れにくい領域である。
【００１６】
このように、ノズル洗浄制御手段は、低温モードでは、高温モードに比べて低温モードのノズル洗浄工程で使用される洗浄水量を減らすことで加熱手段の消費電力を抑えながらも、洗浄ノズルの汚れやすい領域での洗浄性能を維持することができる。一方、ノズル洗浄制御手段は、加熱手段による通電量が比較的少ない高温モードでは、洗浄ノズルの領域に係わらず洗浄ノズルをしっかりと洗浄するため洗浄性能を維持することができる。
従って、節電性能を向上させながら、ノズル洗浄の洗浄性能の低下を抑制することができる。
【００１７】
本発明のうち第３の態様に係る衛生洗浄装置は、前記洗浄ノズルは、先端部から所定位置までの第１領域と、前記第１領域を除いた領域である第２領域を有し、前記ノズル洗浄制御手段は、前記測定温度が前記所定温度よりも高い高温モードでは、前記第１領域および前記第２領域において前記ノズル洗浄手段から吐水される洗浄水の流量を第１流量とし、前記測定温度が所定温度よりも低い低温モードでは、前記第１領域において前記ノズル洗浄手段から吐水される洗浄水の流量を前記第１流量とし、前記第２領域において前記ノズル洗浄手段から吐水される洗浄水の流量を前記第１流量よりも少ない第２流量とすることを特徴とする。
【００１８】
このような構成の衛生洗浄装置によれば、ノズル洗浄制御手段は、測定温度が所定温度よりも高い高温モードでは、第１領域および第２領域においてノズル洗浄手段から吐水される洗浄水の流量を第１流量とする。一方、測定温度が所定温度よりも低い低温モードでは、第２領域においてノズル洗浄手段から吐水される洗浄水の流量（第２流量）を第１領域においてノズル洗浄手段から吐水される洗浄水の流量（第１流量）よりも少なくする。
【００１９】
これにより、通電量を比較的多く消費する低温モードでは、高温モードに比べて、ノズル洗浄工程で使用される洗浄水量を減らすことができる。つまり、高温モードに比べて低温モードのノズル洗浄工程で使用される洗浄水量を減らすことで加熱手段の消費電力を抑えながらも、洗浄ノズルの汚れやすい領域での洗浄性能を維持することができる。一方、加熱手段による通電量が比較的少ない高温モードでは、洗浄ノズルの領域に係わらず洗浄ノズルをしっかりと洗浄するため洗浄性能を維持することができる。
従って、節電性能を向上させながら、ノズル洗浄の洗浄性能の低下をより抑制することができる。
【発明の効果】
【００２０】
本発明の態様によれば、節電性能を向上させながら、ノズル洗浄の洗浄性能の低下を抑制することができる衛生洗浄装置を提供することを目的とする。
【図面の簡単な説明】
【００２１】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態にかかる衛生洗浄装置の水路系の要部構成の具体例を例示するブロック図である。
【図４】本実施形態のノズルユニットの具体例における洗浄ノズルが進出位置にある状態を表す斜視模式図である。
【図５】本実施形態のノズルユニットの具体例における洗浄ノズルが収納位置にある状態を表す斜視模式図である。
【図６】本実施形態にかかる衛生洗浄装置のおしり洗浄処理のメイン動作を表すフローチャートである。
【図７】本実施形態にかかる衛生洗浄装置の進出時胴体洗浄処理を表すフローチャートである。
【図８】本発明の他の実施形態にかかる衛生洗浄装置の進出時胴体洗浄処理を表すフローチャートである。
【発明を実施するための形態】
【００２２】
本発明に係る衛生洗浄装置は、洗浄ノズルと、洗浄水により洗浄ノズルを洗浄するノズル洗浄手段と、ノズル洗浄手段による洗浄ノズルの洗浄工程で使用する洗浄水量を制御するノズル洗浄制御手段と、洗浄ノズルから吐水される洗浄水およびノズル洗浄手段から吐水される洗浄水を加熱する加熱手段と、入水温度を測定する温度測定手段と、を備えた衛生洗浄装置において、ノズル洗浄制御手段は、温度測定手段による測定温度が高いときよりも低いときの方が、洗浄ノズルの洗浄工程で使用する洗浄水量を少なくなるように制御することで、節電性能を向上させながら、ノズル洗浄の洗浄性能の低下を抑制することができるものである。以下、本発明の実施の形態を説明する。
【００２３】
図１は、本発明の実施の形態にかかる衛生洗浄装置を備えたトイレ装置を表す斜視模式図である。また、図２は、本実施形態にかかる衛生洗浄装置の要部構成を表すブロック図である。なお、図２は、水路系と電気系の要部構成を併せて表しており、二本線で繋がれている構成は水路系の要部構成を表しており、矢印で繋がれている構成は電気系の構成を表している。
【００２４】
図１に表したトイレ装置は、洋式腰掛便器（以下説明の便宜上、単に「便器」と称する）８００と、その上に設けられた衛生洗浄装置１００と、を備える。衛生洗浄装置１００は、本体４００と、便座２００と、便蓋３００と、を有する。便座２００と便蓋３００とは、本体４００に対して開閉自在にそれぞれ軸支されている。
【００２５】
本体４００の内部には、便座２００に座った使用者の「おしり」などの洗浄を実現する身体洗浄機能部などが内蔵されている。また、例えば本体４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、人体洗浄ノズル（以下、説明の便宜上「洗浄ノズル」と称する）４７３を便器８００のボウル８０１内に進出させることができる。なお、図１に表した衛生洗浄装置１００では、洗浄ノズル４７３がボウル８０１内に進出した状態を表している。
【００２６】
洗浄ノズル４７３の先端部には、ひとつあるいは複数の人体洗浄吐水孔４７４が設けられている。そして、洗浄ノズル４７３は、その先端部に設けられた人体洗浄吐水孔４７４から水を噴射して、便座２００に座った使用者の「おしり」などを洗浄することができる。なお、本願明細書において「水」という場合には、冷水のみならず、加温されたお湯も含むものとする。
【００２７】
なお、本願明細書においては、洗浄ノズル４７３の中心軸線または進出方向に対して平行な方向であって、便座２００に座った使用者からみて前方を「前方」とし、便座２００に座った使用者からみて後方を「後方」とする。また、洗浄ノズル４７３の中心軸線または進出方向に対して垂直な水平方向であって、便器１００の前に立った使用者からみて右側を「右側方」とし、左側を「左側方」とする。
【００２８】
より具体的に説明すると、本実施形態にかかる衛生洗浄装置１００は、図２に表したように、水道や貯水タンクなどの給水源１０から供給された水を洗浄ノズル４７３の人体洗浄吐水孔４７４に導く流路２０を有する。流路２０の上流側には、電磁弁４３１が設けられている。電磁弁４３１は、開閉可能な電磁バルブであり、本体４００の内部に設けられた制御部４０５からの指令に基づいて水の供給を制御する。
【００２９】
電磁弁４３１の下流には、温水ヒータ４４１（加熱手段）が設けられている。温水ヒータ４４１は、供給された水を加熱し、所定の温水にする。なお、温水温度については、例えば、使用者が操作部５００を操作することにより設定することができる。
【００３０】
温水ヒータ４４１の下流には、圧力変調装置４６０が設けられている。この圧力変調装置４６０は、流路２０内の水の流れに脈動を与え、洗浄ノズル４７３の人体洗浄吐水孔４７４から吐水される水に脈動を与えることができる。
【００３１】
圧力変調装置４６０の下流には、流路の開口面積Ｓを調整することで水勢（流量）の調整を行う流量切替弁４７１と、洗浄ノズル４７３やノズル洗浄室４７８（図４参照）への給水の開閉や切替を行う流路切替弁４７２と、が設けられている。なお、流量切替弁４７１および流路切替弁４７２は、１つのユニットとして設けられていてもよい。続いて、流量切替弁４７１および流路切替弁４７２の下流には、洗浄ノズル４７３が設けられている。
【００３２】
洗浄ノズル４７３は、洗浄ノズルモータ４７６からの駆動力を受け、便器８００のボウル８０１内に進出したり後退することができる。つまり、洗浄ノズルモータ４７６は、制御部４０５からの指令に基づいて洗浄ノズル４７３を進退させることができる。
【００３３】
そして、制御部４０５は、電源回路４０１から電力を供給され、人体検知センサ４０３や、着座検知センサ４０４や、操作部５００などからの信号に基づいて、電磁弁４３１や、温水ヒータ４４１や、電解槽ユニット４５０や、圧力変調装置４６０や、流量切替弁４７１や流路切替弁４７２や、洗浄ノズルモータ４７６の動作を制御することができる。すなわち、制御部４０５は、後述するノズル洗浄室４７８による洗浄ノズル４７３の洗浄工程で使用する洗浄水量を制御するノズル洗浄制御手段としての機能を有する。
【００３４】
なお、人体検知センサ４０３は、図１に表したように、本体４００の上面に形成された凹設部４０９に埋め込まれるように設けられ、便座２００に近づいた使用者（人体）を検知することができる。また、便蓋３００の後部には透過窓３１０が設けられている。そのため、便蓋３００が閉じた状態において、人体検知センサ４０３は、透過窓３１０を介して使用者の存在を検知することができる。そして、例えば、人体検知センサ４０３が使用者を検知すると、制御部４０５は、人体検知センサ４０３の検知結果に基づいて便蓋３００を自動的に開くことができる。
【００３５】
また、本体４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、本体４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００３６】
図３は、本実施形態にかかる衛生洗浄装置の水路系の要部構成の具体例を例示するブロック図である。また、図４および図５は、本実施形態のノズルユニットの具体例を例示する斜視模式図であり、図４は、本実施形態の洗浄ノズルが進出位置にある状態を表す斜視模式図であり、図５は、本実施形態の洗浄ノズルが収納位置にある状態を表す斜視模式図である。
【００３７】
図３に表したように、給水源１０から供給された水は、まず、分岐金具４１０に導かれる。分岐金具４１０に導かれた水は、連結ホース４２０および図示しない便器洗浄用のバルブユニットに分配される。但し、本実施形態にかかる衛生洗浄装置１００を備えたトイレ装置は、いわゆる「水道直圧式」に限定されるわけではなく、いわゆる「ロータンク式」であってもよい。そのため、トイレ装置が「ロータンク式」である場合には、分岐金具４１０に導かれた水は、便器洗浄用のバルブユニットの代わりに、図示しないロータンクに導かれる。
【００３８】
続いて、連結ホース４２０に供給された水は、バルブユニット４３０に導かれる。バルブユニット４３０は、電磁弁４３１と、調圧弁４３２と、入水サーミスタ４３３（温度測定手段）と、安全弁４３４と、水抜栓４３５と、を有する。調圧弁４３２は、給水圧が高い場合に、所定の圧力範囲に調整する役割を有する。入水サーミスタ４３３は、熱交換器ユニット４４０に導かれる水の入水温度Ｔを検知する。安全弁４３４は、流路２０の圧力が上昇した時に開いて、水を便器８００のボウル８０１に排出する。安全弁４３４を設けることにより、例えば調圧弁４３２の故障などによりその２次側（下流側）の流路２０の圧力が上昇した場合でも、衛生洗浄装置１００の内部に漏水が生ずることを防止できる。また、水抜栓４３５は、流路２０内の水が凍結するおそれがあるときなどに使用され、流路２０内の水を排出できる。なお、電磁弁４３１は、前述した如くである。
【００３９】
続いて、バルブユニット４３０に供給された水は、熱交換器ユニット４４０に導かれる。熱交換器ユニット４４０は、温水ヒータ４４１と、バキュームブレーカ４４２と、を有する。バキュームブレーカ４４２は、例えばバルブユニット４３０に負圧が発生した場合などにおいて、ノズル４７３から汚水が逆流することを防止する。あるいは、バキュームブレーカ４４２は、流路２０の水抜きの際に外部から空気を取り込んで、熱交換器ユニット４４０とノズルユニット４７０との間の流路２０の水抜きを促進させる。そして、バキュームブレーカ４４２からの水は、便器８００のボウル８０１に排出される。温水ヒータ４４１は、熱交換器ユニット４４０へ導かれた水を加熱する。すなわち、温水ヒータ４４１は、洗浄ノズル４７３から吐出される水、および、洗浄室４７８から吐出される水を加熱する。
【００４０】
続いて、熱交換器ユニット４４０に供給され、所定温度に加熱された水は、圧力変調装置４６０を介してノズルユニット４７０に導かれる。ノズルユニット４７０は、図３に表したように、流量切替弁４７１と、流路切替弁４７２と、洗浄ノズル４７３と、を有する。そして、流路切替弁４７２は、熱交換器ユニット４４０から圧力変調装置４６０を介して供給された所定温度に加熱された水を洗浄ノズル４７３の人体洗浄吐水孔４７４あるいはノズル洗浄室４７８（図４参照）に導くことができる。ここで、ノズルユニット４７０について、図面を参照しつつ説明する。
【００４１】
本実施形態のノズルユニット４７０は、図４に表したように、基台としての取付台４７５と、取付台４７５に支持された洗浄ノズル４７３と、洗浄ノズル４７３を移動させるノズルモータ４７６と、を有する。洗浄ノズル４７３は、図４に表した矢印Ａのように、ベルトなどの伝動部材４７７を介してノズルモータ４７６から伝達される駆動力により、取付台４７５に対して摺動自在に設けられている。すなわち、洗浄ノズル４７３は、洗浄ノズル４７３自身の軸方向（進退方向）に直進移動することができる。そして、洗浄ノズル４７３は、本体４００および取付台４７５から進退自在に移動できる。
【００４２】
また、本実施形態のノズルユニット４７０には、ノズル洗浄室４７８が設けられている。ノズル洗浄室４７８は、取付台４７５に対して固定され、その内部に設けられた吐水部４７９から水を噴射することにより、洗浄ノズル４７３の外周表面（胴体）を洗浄することができる。ノズル洗浄室４７８は、洗浄ノズル４７３洗浄するためのものであり、流路切替弁４７２と共にノズル洗浄手段を構成する。
【００４３】
具体的には、ノズル洗浄室４７８は、洗浄ノズル４７３をノズル洗浄室４７８内に収納された収納位置（図５参照）から人体を洗浄する進出位置（図４参照）へと前進移動している時または人体を洗浄する進出位置（図４参照）から洗浄ノズル４７３をノズル洗浄室４７８内に収納された収納位置（図５参照）へ後退移動している時に吐水部４７９から洗浄ノズル４７３の外観面に向けて水を噴射することにより、人体洗浄吐水孔４７４の部分だけではなく他の部分の外観面を洗浄することができる（以下、胴体洗浄という）。なお、ノズル洗浄室４７８による洗浄ノズル４７３のノズル洗浄工程で使用する洗浄水量は、制御部４０５（ノズル洗浄制御手段）によって制御される。本実施例では、入水サーミスタ４３３の検出温度に基づいて、制御部４０５によってノズル洗浄室４７８による洗浄ノズル４７３のノズル洗浄工程で使用する洗浄水量を制御する。
【００４４】
また、洗浄ノズル４７３が本体４００に収納された状態では、洗浄ノズル４７３の人体洗浄吐水孔４７４の部分はノズル洗浄室４７８の中にほぼ収容されているため、洗浄ノズル４７３は、洗浄ノズル４７３が本体４００に収納された状態において、洗浄ノズル４７３自身が有する人体洗浄吐水孔４７４から水を吐水することにより人体洗浄吐水孔４７４の部分を洗浄することができる（以下、前洗浄という）。洗浄ノズル４７３の人体洗浄吐水孔４７４から吐水された水は、ノズル洗浄室４７８の内壁により反射して人体洗浄吐水孔４７４の部分にかかる。そのため、ノズル４７３の人体洗浄吐水孔４７４の部分は、ノズル洗浄室４７８の内壁で反射した水によっても洗浄される。
【００４５】
本実施形態にかかる衛生洗浄装置１００のメイン動作の一例であるおしり洗浄処理のメイン動作フローについて、図６を用いて説明する。図６は、本実施形態にかかる衛生洗浄装置のおしり洗浄処理のメイン動作を表すフローチャートである。
【００４６】
おしり洗浄処理のメイン動作では、まず制御部４０５は、操作部５００にある図示しないおしり（人体）を洗浄するおしり洗浄スイッチが押されたが否かを判定する（Ｓ１０）。おしり洗浄スイッチが押されたと判定した場合（Ｓ１０：ＹＥＳ）、制御部４０５は、電磁弁４３１を開状態にする（Ｓ１２）。そして、温水ヒータ４４１をオンにし、通電を開始する（Ｓ１４）。
【００４７】
次に、制御部４０５は、前洗浄を実行する（Ｓ１６）。前洗浄では、制御部４０５は、洗浄ノズル４７３を収納位置に待機させた状態で、人体洗浄吐水孔４７４から洗浄水を数秒間〜十数秒間程度噴射させながら人体洗浄吐水孔４７４付近を洗浄する。
【００４８】
その後、制御部４０５は、ノズルモータ４７６を駆動させて洗浄ノズル４７３を進出位置まで進出させる。進出位置は、使用者によって調節可能である。制御部４０５は、洗浄ノズル４７３を収納位置から進出位置へと進出させながら、進出時胴体洗浄を実行する（Ｓ１８）。すなわち、制御部４０５は、流路切替弁４７２を切り替えて、給水源から給水された水をノズル洗浄室４７８に導く。これにより、ボウル８０１に向けて進出する洗浄ノズル４７３の胴部を、ノズル洗浄室４７８内において洗浄することができる。胴体洗浄によって洗浄される範囲は、洗浄ノズル４７３の先端部から、洗浄ノズル４７３が所定の進出位置に到達した場合におけるノズル洗浄室４７８内に位置する部分までである。
【００４９】
洗浄ノズル４７３が所定の進出位置に到達すると、制御部４０５は、流路切替弁４７２を切り替えて、人体洗浄吐水孔４７４から水を噴射させることにより、おしり洗浄を実行する（Ｓ２０）。
【００５０】
次に、ます制御部４０５は、操作部５００にある図示しない止スイッチが押されたが否かを判定する（Ｓ２２）。おしり洗浄スイッチが押されていないと判定した場合（Ｓ２２：ＮＯ）、制御部４０５は、おしり洗浄の実行を続ける。一方、おしり洗浄スイッチが押されたと判定した場合（Ｓ２２：ＹＥＳ）、制御部４０５は、ノズルモータ４７６を駆動させて洗浄ノズル４７３を収納位置まで後退させる。制御部４０５は、洗浄ノズル４７３を進出位置から収納位置へと後退させながら、後退時胴体洗浄を実行する（Ｓ２４）。
【００５１】
洗浄ノズル４７３が収納位置へと収納されると、制御部４０５は、後洗浄を実行する（Ｓ２６）。後洗浄では、前洗浄と同様に、洗浄ノズル４７３を収納位置に待機させた状態で、人体洗浄吐水孔４７４から洗浄水を数秒間〜十数秒間程度噴射させながら人体洗浄吐水孔４７４付近を洗浄する。その後、制御部４０５は、温水ヒータ４４１をオフにし、通電を停止する（Ｓ２８）。そして、電磁弁４３１を閉状態にする（Ｓ３０）。
【００５２】
このように、衛生洗浄装置のメイン動作の一例であるおしり洗浄処理のメイン動作では、おしり洗浄の開始前に進出時胴体洗浄が実行され、おしり洗浄の終了後に後退時胴体洗浄が実行される。これにより、洗浄ノズル４７３を自動的に洗浄してからおしり洗浄を行うことができ、洗浄ノズル４７３を自動的に洗浄した後で、待機させることができるようになっている。なお、おしり洗浄以外の動作であるおしり以外の局部洗浄の動作も同様である。
【００５３】
本実施形態にかかる衛生洗浄装置１００の進出時胴体洗浄処理について、図７を用いて説明する。図７は、本実施形態にかかる衛生洗浄装置の進出時胴体洗浄処理を表すフローチャートである。
【００５４】
制御部４０５は、入水サーミスタ４３３により入水温度Ｔを測定する（Ｓ１０２）。そして、制御部４０５は、流量切替弁４７１により流路の開口面積が開口面積Ｓ１である大１流量Ｑ１とする（Ｓ１０４）。
【００５５】
次に、入水温度Ｔが所定温度（例えば、約３５℃）よりも高いか否かを判定する（Ｓ１０６）。入水温度Ｔが所定温度よりも高い高温モードと判定した場合（Ｓ１０６：ＹＥＳ）、制御部４０５は、ノズルモータ４７６を駆動させて洗浄ノズル４７３の移動速度を第１移動速度Ｖ１で、洗浄ノズル４７３を収納位置から進出させる（Ｓ１０８）。そして、制御部４０５は、洗浄ノズル４７３が進出位置に到達したか否かを判定する（Ｓ１１０）。洗浄ノズル４７３が進出位置に到達していないと判定した場合（Ｓ１１０：ＮＯ）、Ｓ１０８に戻る。一方、洗浄ノズル４７３が進出位置に到達したと判定した場合（Ｓ１１０：ＹＥＳ）、制御部４０５は、進出時胴体洗浄処理を終了し、メイン動作フローのＳ２０に戻る。
【００５６】
一方、Ｓ１０６において、入水温度Ｔが所定温度よりも低い低温モードと判定した場合（Ｓ１０６：ＮＯ）、制御部４０５は、ノズルモータ４７６を駆動させて洗浄ノズル４７３の移動速度を第１移動速度Ｖ１で、洗浄ノズル４７３を収納位置から進出させる（Ｓ１１２）。そして、制御部４０５は、洗浄ノズル４７３が所定位置に到達したか否かを判定する（Ｓ１１４）。洗浄ノズル４７３が所定位置に到達していないと判定した場合（Ｓ１１４：ＮＯ）、Ｓ１１２に戻る。
【００５７】
一方、洗浄ノズル４７３が所定位置に到達したと判定した場合（Ｓ１１４：ＹＥＳ）、制御部４０５は、洗浄ノズル４７３の移動速度を第１移動速度Ｖ１よりも速い第２移動速度Ｖ２で、洗浄ノズル４７３を進出させる（Ｓ１１６）。そして、制御部４０５は、洗浄ノズル４７３が進出位置に到達したか否かを判定する（Ｓ１１８）。洗浄ノズル４７３が進出位置に到達していないと判定した場合（Ｓ１１８：ＮＯ）、Ｓ１１６に戻る。一方、洗浄ノズル４７３が進出位置に到達したと判定した場合（Ｓ１１８：ＹＥＳ）、制御部４０５は、進出時胴体洗浄処理を終了し、メイン動作フローのＳ２０に戻る。
【００５８】
ここで、所定位置とは、例えば、ノズル洗浄手段によるノズル洗浄が有効に機能し始める位置、または、洗浄ノズルの汚れやすい位置と汚れにくい位置との境界付近として定義可能である。例えば、所定位置は、洗浄ノズル４７３の全長の約１／３程度が進出した位置として設定することができる。すなわち、洗浄ノズル４７３の先端部から全長の約１／３程度までの領域を第１領域とすると、第１の領域を除く領域である第２の領域は、全長の約３／３程度とすることができる。すなわち、第１領域は、洗浄ノズルのうち使用者の人体に近い領域、言い換えると、洗浄ノズルの汚れやすい領域であり、第２領域は、洗浄ノズルのうち使用者の人体から遠い領域、言い換えると、ノズルの汚れにくい領域である。
【００５９】
このように、衛生洗浄装置１００の進出時胴体洗浄処理では、制御部４０５は、洗浄ノズル４７３の移動速度を制御し、入水サーミスタ４３３で測定した入水温度Ｔが所定温度よりも高い高温モードでは、第１領域および第２領域において洗浄ノズル４７３を第１移動速度Ｖ１で移動させ、入水サーミスタ４３３の測定温度Ｔが所定温度よりも低い低温モードでは、第１領域において洗浄ノズル４７３を第１移動速度Ｖ１で移動させ、第２領域において洗浄ノズル４７３を第１移動速度Ｖ１よりも速い第２移動速度Ｖ２で移動させる。すなわち、制御部４０５は、入水サーミスタ４３３で測定した入水温度Ｔが高いときよりも低いときの方が洗浄ノズル４７３の進出時胴体洗浄で使用する洗浄水量が少なくなるように制御する。
【００６０】
本実施形態にかかる衛生洗浄装置１００によれば、温水ヒータ４４１による通電量が比較的多く必要となる測定温度Ｔが低いときには、洗浄ノズル４７３の進出時胴体洗浄で使用される洗浄水量が少なくなるように制御することで、洗浄ノズル４７３の進出時胴体洗浄における温水ヒータ４４１の消費電力を抑えることができる。一方で、加熱手段による通電量が比較的少ない、測定温度Ｔが高いときには、進出時胴体洗浄における洗浄水量を、測定温度Ｔが低いときよりも多くしてしっかりとノズル洗浄を行うことができる。よって、節電性能を向上させながら、ノズル洗浄の洗浄性能の低下を抑制することができる。
【００６１】
また、制御部４０５は、測定温度Ｔが所定温度よりも高い高温モードでは、第１領域および第２領域において洗浄ノズル４７３を第１移動速度Ｖ１で移動させる。一方、測定温度Ｔが所定温度よりも低い低温モードにおいて、第１領域では、比較的遅い第１移動速度Ｖ１で洗浄ノズルをゆっくりと移動させ、第２領域では、比較的速い第２移動速度Ｖ２に切り替えて洗浄ノズルを速やかに移動させる。これにより、通電量を比較的多く消費する低温モードでは、高温モードに比べて、進出時胴体洗浄において使用する洗浄水量を減らすことができる。つまり、低温モードでは、高温モードに比べて、通電量を減らすことができる。
【００６２】
このように、制御部４０５は、低温モードでは、高温モードに比べて低温モードの進出時胴体洗浄で使用される洗浄水量を減らすことで温水ヒータ４４１の消費電力を抑えながらも、洗浄ノズル４７３の汚れやすい領域での洗浄性能を維持することができる。一方、制御部４０５は、温水ヒータ４４１による通電量が比較的少ない高温モードでは、洗浄ノズル４７３の領域に係わらず洗浄ノズル４７３をしっかりと洗浄するため洗浄性能を維持することができる。従って、節電性能を向上させながら、ノズル洗浄の洗浄性能の低下を抑制することができる。
【００６３】
なお、本実施形態にかかる衛生洗浄装置１００では、洗浄ノズル４７３の進出時胴体洗浄において、入水サーミスタ４３３による測定温度Ｔが高いときよりも低いときの方が洗浄水量を少なくなるよう制御することについて示したが、これに限らない。例えば、洗浄ノズル４７３の後退時胴体洗浄においても洗浄ノズル４７３の進出時胴体洗浄と同様に、制御部４０５が洗浄ノズル４７３の移動速度を変化させることで、入水サーミスタ４３３による測定温度Ｔが高いときよりも低いときの方が洗浄ノズル４７３の後退時胴体洗浄で使用する洗浄水量が少なくなるように制御してもよい。
【００６４】
また、本実施形態にかかる衛生洗浄装置１００では、高温モードでは第１領域および第２領域における洗浄ノズル４７３の移動速度を変化させず、低温モードで第１領域および第２領域における洗浄ノズル４７３の移動速度を変化させることで、洗浄ノズル４７３の進出時胴体洗浄で使用する洗浄水量が高温モードよりも低温モードのときの方が少なくなるようにしていたが、高温モード、低温モードともに、第１領域および第２領域における洗浄ノズル４７３の移動速度を変化させことで、洗浄ノズル４７３の進出時胴体洗浄で使用する洗浄水量が高温モードよりも低温モードのときの方が少なくなるようにしてもよい。
【００６５】
本実施形態にかかる衛生洗浄装置１００の進出時胴体洗浄処理の他の実施形態について、図８を用いて説明する。図８は、本発明の他の実施形態にかかる衛生洗浄装置の進出時胴体洗浄処理を表すフローチャートである。なお、各図面中、同様の構成要素には同一の符号を付して詳細な説明は適宜省略する。
【００６６】
制御部４０５は、入水サーミスタ４３３により入水温度Ｔを測定する（Ｓ２０２）。そして、制御部４０５は、入水温度Ｔが所定温度（例えば、約３５℃）よりも高いか否かを判定する（Ｓ２０４）。入水温度Ｔが所定温度よりも高い高温モードと判定した場合（Ｓ２０４：ＹＥＳ）、制御部４０５は、流量切替弁４７１により流路の開口面積が開口面積Ｓ１である第１流量に設定する（Ｓ２０６）。
【００６７】
次に、ノズルモータ４７６を駆動させて洗浄ノズル４７３の移動速度を第１移動速度Ｖ１で、洗浄ノズル４７３を収納位置から進出させる（Ｓ２０８）。制御部４０５は、洗浄ノズル４７３が進出位置に到達したか否かを判定する（Ｓ２１０）。洗浄ノズル４７３が進出位置に到達していないと判定した場合（Ｓ２１０：ＮＯ）、Ｓ２０８に戻る。一方、洗浄ノズル４７３が進出位置に到達したと判定した場合（Ｓ２１０：ＹＥＳ）、制御部４０５は、進出時胴体洗浄処理を終了し、メイン動作フローのＳ２０に戻る。
【００６８】
一方、Ｓ２０４において、入水温度Ｔが所定温度よりも低い低温モードと判定した場合（Ｓ２０４：ＮＯ）、制御部４０５は、流量切替弁４７１により流路の開口面積が開口面積Ｓ１である第１流量Ｑ１に設定する（Ｓ２１２）。
【００６９】
次に、制御部４０５は、ノズルモータ４７６を駆動させて洗浄ノズル４７３の移動速度を第１移動速度Ｖ１で、洗浄ノズル４７３を収納位置から進出させる（Ｓ２１４）。そして、制御部４０５は、洗浄ノズル４７３が所定位置に到達したか否かを判定する（Ｓ２１６）。洗浄ノズル４７３が所定位置に到達していないと判定した場合（Ｓ２１６：ＮＯ）、Ｓ２１４に戻る。一方、洗浄ノズル４７３が所定位置に到達したと判定した場合（Ｓ２１６：ＹＥＳ）、制御部４０５は、流量切替弁４７１により流路の開口面積が開口面積Ｓ１よりも狭い開口面積Ｓ２にし、第１流量Ｑ１よりも少ない第２流量Ｑ２に設定する（Ｓ２１８）。そして、制御部４０５は、洗浄ノズル４７３の移動速度を第１移動速度Ｖ１よりも速い第２移動速度Ｖ２で、洗浄ノズル４７３を進出させる（Ｓ２２０）。
【００７０】
次に、制御部４０５は、洗浄ノズル４７３が進出位置に到達したか否かを判定する（Ｓ２２２）。洗浄ノズル４７３が進出位置に到達していないと判定した場合（Ｓ２２２：ＮＯ）、Ｓ２０８に戻る。一方、洗浄ノズル４７３が進出位置に到達したと判定した場合（Ｓ２２２：ＹＥＳ）、制御部４０５は、進出時胴体洗浄処理を終了し、メイン動作フローのＳ２０に戻る。
【００７１】
このように、本発明の他の実施形態にかかる衛生洗浄装置１００の進出時胴体洗浄処理では、制御部４０５は、測定温度Ｔが所定温度よりも高い高温モードでは、第１領域および第２領域においてノズル洗浄室４７８から吐水される水の流量を第１流量Ｑ１とし、移動速度を第１移動速度Ｖ１で洗浄ノズル４７３を進出させ、測定温度Ｔが所定温度よりも低い低温モードでは、第１領域においてノズル洗浄室４７８から吐水される水の流量を第１流量Ｑ１とし、移動速度を第１移動速度Ｖ１で洗浄ノズル４７３を進出させ、第２領域においてノズル洗浄室４７８から吐水される水の流量を第１流量Ｑ１よりも少ない第２流量Ｑ２とし、移動速度を第１移動速度Ｖ１よりも速い第２移動速度Ｖ２で洗浄ノズル４７３を進出させる。このように、制御部４０５は、ノズル洗浄室４７８から吐出される水の流量および洗浄ノズル４７３の移動速度を変化させることで、入水サーミスタ４３３による測定温度Ｔが高いときよりも低いときの方が洗浄ノズル４７３の進出時胴体洗浄で使用する洗浄水量が少なくなるように制御する。
【００７２】
本実施形態にかかる衛生洗浄装置１００によれば、温水ヒータ４４１による通電量が比較的多く必要となる測定温度Ｔが低いときには、洗浄ノズル４７３の進出時胴体洗浄で使用される洗浄水量が少なくなるように制御することで、洗浄ノズル４７３の進出時胴体洗浄における温水ヒータ４４１の消費電力を抑えることができる。一方で、加熱手段による通電量が比較的少ない、測定温度Ｔが高いときには、進出時胴体洗浄における洗浄水量を、測定温度Ｔが低いときよりも多くしてしっかりとノズル洗浄を行うことができる。よって、節電性能を向上させながら、ノズル洗浄の洗浄性能の低下を抑制することができる。
【００７３】
また、制御部４０５は、測定温度Ｔが所定温度よりも高い高温モードでは、第１領域および第２領域においてノズル洗浄室４７８から吐水される水の流量を第１流量Ｑ１とする。一方、測定温度Ｔが所定温度よりも低い低温モードでは、第２領域において洗浄から吐水される水の流量を第２流量Ｑ２とし、第１領域においてノズル洗浄室４７８から吐水される水の流量である第１流量Ｑ１よりも少なくする。これにより、通電量を比較的多く消費する低温モードでは、高温モードに比べて、ノズル洗浄工程で使用される洗浄水量を減らすことができる。さらに、本実施形態では、洗浄ノズル４７３の移動速度についても高温モードと低温モードとで変化させることによっても、通電量を比較的多く消費する低温モードでは、高温モードに比べて、ノズル洗浄工程で使用される洗浄水量を減らしている。このように、高温モードに比べて低温モードのノズル洗浄工程で使用される洗浄水量を減らすことで、温水ヒータ４４１の消費電力を抑えながらも、洗浄ノズル４７３の汚れやすい領域での洗浄性能を維持することができる。一方、温水ヒータ４４１による通電量が比較的少ない高温モードでは、洗浄ノズルの領域に係わらず洗浄ノズル４７３をしっかりと洗浄するため洗浄性能を維持することができる。従って、節電性能を向上させながら、ノズル洗浄の洗浄性能の低下をより抑制することができる。
【００７４】
なお、本実施形態にかかる衛生洗浄装置１００では、洗浄ノズル４７３の進出時胴体洗浄において、入水サーミスタ４３３による測定温度Ｔが高いときよりも低いときの方が洗浄水量を少なくなるよう制御することについて示したが、これに限らない。例えば、洗浄ノズル４７３の後退時胴体洗浄においても洗浄ノズル４７３の進出時胴体洗浄と同様に、制御部４０５がノズル洗浄室４７８から吐水される水の流量を変化させることで、入水サーミスタ４３３による測定温度Ｔが高いときよりも低いときの方が洗浄ノズル４７３の後退時胴体洗浄で使用する洗浄水量が少なくなるように制御してもよい。
【００７５】
また、本実施形態にかかる衛生洗浄装置１００では、高温モードでは第１領域および第２領域におけるノズル洗浄室４７８から吐水される水の流量を変化させず、低温モードで第１領域および第２領域におけるノズル洗浄室４７８から吐水される水の流量を変化させることで、洗浄ノズル４７３の進出時胴体洗浄で使用する洗浄水量が高温モードよりも低温モードのときの方が少なくなるようにしていたが、高温モード、低温モードともに、第１領域および第２領域におけるノズル洗浄室４７８から吐水される水の流量を変化させことで、洗浄ノズル４７３の進出時胴体洗浄で使用する洗浄水量が高温モードよりも低温モードのときの方が少なくなるようにしてもよい。
【００７６】
また、本実施形態にかかる衛生洗浄装置１００では、制御部４０５は、ノズル洗浄室４７８から吐出される水の流量および洗浄ノズル４７３の移動速度を変化させることで、入水サーミスタ４３３による測定温度Ｔが高いときよりも低いときの方が洗浄ノズル４７３の進出時胴体洗浄で使用する洗浄水量が少なくなるように制御する例を示したが、これに限らない。制御部４０５は、洗浄ノズル４７３の移動速度を変化させずノズル洗浄室４７８から吐出される水の流量を変化させることで、入水サーミスタ４３３による測定温度Ｔが高いときよりも低いときの方が洗浄ノズル４７３の進出時胴体洗浄で使用する洗浄水量が少なくなるように制御してもよい。
【００７７】
なお、本実施形態にかかる衛生洗浄装置１００および本発明の他の実施形態にかかる衛生装置１００では、進出時胴体洗浄および後退時胴体洗浄においてノズル洗浄室４７８内で洗浄ノズル４７３を洗浄する例を示したが、これに限らない。洗浄ノズル４７３は本体４００の外部で洗浄されるものであってもよい。
【００７８】
また、本実施形態にかかる衛生洗浄装置１００および他の実施形態にかかる衛生洗浄装置１００では、ノズル洗浄室４７８から吐水される洗浄水により洗浄ノズル４７３を洗浄する例を示したが、これに限らない。洗浄ノズル４７３の人体洗浄吐水孔４７４から吐水した洗浄水により洗浄ノズル４７３を洗浄してもよい。
【００７９】
また、本実施形態にかかる衛生洗浄装置１００および他の実施形態にかかる衛生洗浄装置１００では、洗浄ノズル４７３が単段階洗浄ノズルである例を示したが、これに限らない。例えば、２段階洗浄ノズルであってよい。この場合、第１段目の領域を第１領域、第２段目の領域を第２領域としてもよい。また、例えば、３段階以上の洗浄ノズルであってもより。この場合、第１段目の領域を第１領域、第２段目以上の領域を第２領域としてもよいし、第１段目および第２段目の領域を第１領域、第２段目以上の領域を第２領域としてもよい。
【符号の説明】
【００８０】
１０ 給水源
２０ 流路
１００ 衛生洗浄装置
２００ 便座
３００ 便蓋
３１０ 透過窓
４００ 本体
４０１ 電源回路
４０３ 人体検知センサ
４０４ 着座検知センサ
４０５ 制御部（ノズル洗浄制御手段）
４０７ 排気口
４０８ 排出口
４０９ 凹設部
４１０ 分岐金具
４２０ 連結ホース
４３０ バルブユニット
４３１ 電磁弁
４３２ 調圧弁
４３３ 入水サーミスタ
４３４ 安全弁
４３５ 水抜栓
４４０ 熱交換器ユニット
４４１ 温水ヒータ
４４２ バキュームブレーカ
４６０ 圧力変調装置
４７０ ノズルユニット
４７１ 流量切替弁
４７２ 流路切替弁（ノズル洗浄手段）
４７３ 洗浄ノズル
４７４ 吐水口
４７５ 取付台
４７６ ノズルモータ
４７７ 伝動部材
４７８ ノズル洗浄室（ノズル洗浄手段）
４７９ 吐水部
５００ 操作部
８００ 便器
８０１ ボウル
【図６】
2015161161.tif 000003
【図７】
2015161161.tif 000004
【図８】
2015161161.tif 000005
【図１】
2015161161.tif 000006
【図２】
2015161161.tif 000007
【図３】
2015161161.tif 000008
【図４】
2015161161.tif 000009
【図５】
2015161161.tif 000010